(57)【要約】      （修正有）【課題】スライダの引抜き離脱（引張りによる抜け落ち）の危険性を制限することにより公知器具を改善する。【解決手段】続けて連結および分離されうる２つの相補的要素(２００、２５０)と、ベース部(１１０)、２つの側方チーク部(１２０、１３０)、低い中央リッジ部(１４０)およびこの低い中央リッジ部(１４０)につながるソールプレート(１４２)を備えるスライダ(１００)、とを備える閉鎖アセンブリであって、２つの要素(２００、２５０)の少なくとも一方がその内面に、引張り力の作用下でソールプレート(１４２)に押し付けられることができる構造物(３００)を有し、この力の作用下で該要素(２５０)がそれに対向するスライダ側方チーク部(１３０)に当たって平らになる傾向を有するように構成される。【選択図】図８
2006290464.tif 000002
【特許請求の範囲】
【請求項１】
続けて連結および分離されうる２つの相補的要素(２００、２５０)と、ベース部(１１０)、２つの側方チーク部(１２０、１３０)、低い中央リッジ部(１４０)およびこの低い中央リッジ部(１４０)につながるソールプレート(１４２)を備えるスライダ(１００)、とを備える閉鎖アセンブリであって、２つの要素(２００、２５０)の少なくとも一方がその内面に、引張り力の作用下でソールプレート(１４２)に押し付けられることができる構造物(３００)を有し、この押し付け力の作用下で該要素(２５０)がそれに対向するスライダ側方チーク部(１３０)に当たって平らになる傾向を有するように構成されていることを特徴とする、閉鎖アセンブリ。
【請求項２】
該構造物(３００)がリブから構成されることを特徴とする、請求項１に記載のアセンブリ。
【請求項３】
構造物(３００)がその自由端部の方向に少なくともわずかに先細になっているリブから構成されることを特徴とする、請求項１または２に記載のアセンブリ。
【請求項４】
止まった状態で、ソールプレート(１４２)の方に面する構造物(３００)の面(３０２)がソールプレート(１４２)の対向する面(１４２０)と平行であることを特徴とする、請求項１〜３のいずれかに記載のアセンブリ。
【請求項５】
ソールプレート(１４２)に面する構造物(３００)の面(３０２)が、その自由端部の方向においてソールプレート(１４２)の対向する面(１４２０)に対して少なくともわずかに湾曲していることを特徴とする、請求項１〜３のいずれかに記載のアセンブリ。
【請求項６】
リブ(３００)の高さ(ｈ１)が、この高さ(ｈ１)に要素(２５０)のバッキング条片(２５４)の厚さ(ｅ２)を加算した値が、ソールプレート(１４２)の縁部と側方チーク部(１３０)とを隔てる離間距離(ｉ３)より大きくなるような高さであって、リブ(３００)がソールプレート(１４２)に押し付けられ、こうして要素(２５０)を側方チーク部(１３０)に当たるように押し付けられることを経ずに、この通路を横断することができないようになっていることを特徴とする、請求項１〜５のいずれかに記載のアセンブリ。
【請求項７】
請求項１〜６に記載の閉鎖アセンブリを備えた袋。
【請求項８】
続けて連結および分離されうる２つの相補的要素(２００、２５０)と、ベース部(１１０)、２つの側方チーク部(１２０、１３０)、低い中央リッジ部(１４０)およびこの低いリッジ部につながるソールプレート(１４２)を備えるスライダ(１００)とを備え、２つの要素(２００、２５０)の少なくとも一方がその内面に、引張り力の作用下でソールプレート(１４２)に押し付けられることができる構造物(３００)を有し、この押し付け力の作用下で該要素(２５０)がそれに対向するスライダの側方チーク部(１３０)に突き当たって平らになる傾向を有するような閉鎖アセンブリを備えることを特徴とする、請求項７に記載の袋。
【発明の詳細な説明】
【技術分野】
【０００１】
本発明はスライダにより動作される閉鎖具を備えた袋の分野に関する。
【背景技術】
【０００２】
多くのこの種の器具がこれまでにも提案されてきた。
袋閉＋鎖具は一般に、多数回の連続した開閉を可能にするように設計された、相補的な雌／雄型または相補的なフック型の２つのジッパー要素を備えている。
【０００３】
スライダの目的はそれぞれジッパー要素の連結と分離を容易にすることである。
添付の図１〜５は、既存の設計に係るスライダ型の閉鎖具を示す。
これらの図面に見られるように、スライダ１００は一般に２つの側方チーク部１２０、１３０と低い中央リッジ部１４０とを保持するベース部１１０を備える。チーク部１２０、１３０と低いリッジ部１４０とが組み合わさって、少なくとも部分的には平行でない２つのチャネル１５０、１６０を形成する。これらのチャネルは、それぞれ２つのジッパー成形部材２００、２５０につながる要素を受け入れる。
【０００４】
公知のスライダは、既に多くの便宜を与えてきた。スライダを動かすだけで袋の開閉が可能で、チャネル１５０、１６０の非平行という性質のためにスライダを動かす方向に応じてジッパー要素を分離または連結できることから、袋の開閉が容易となる。
【０００５】
しかし、このように具備した袋は、スライダが時に抜け落ちることが見られ、特に子供が飲み込む危険性があるという重大な欠点がある。
この危険性を軽減するため、添付図面に示されるように、チーク部１２０、１３０の自由縁部に、細長いリブ１２２、１３２をジッパー要素の下側の位置をとるように付加することが既に提案されている。しかし、この手段は不十分であることがわかった。スライダに大きな力が加わると、チーク部１２０、１３０が離れてスライダが抜け落ちてしまう。
【０００６】
図３、４および５に示されるように、低い中央リッジ部１４０の端部にソールプレート(底板)１４２を配置することも提案された。ソールプレート１４２は、図４および５に見られるように、ジッパー要素２００、２５０の下側の位置をとるように設けられる。しかし、この場合もやはり、この解決策は完全な満足を与えるものではない。実際、ソールプレート１４２は、バッグの閉鎖を妨害しないようにチャネル１５０、１６０の合流の方向に先細の形状をとらなければならない。従って、実際には、スライダが抜け落ちる危険性がなお残っていることが認められ、特にジッパー要素を引き離すクサビのように作用するソールプレートの先細の先端部による旋回と引き抜きによりそうなる。
【０００７】
米国特許第５,６６４,２９９号は、添付の図６に示す別の解決策を提案した。これは、相補的閉鎖ジッパー要素２００、２５０を保有するバッキング条片２０２、２５２の外面に、スライダの長手方向リブ１２２、１３２に対して押し付けるように設計されたリブ２０４、２５４を付加することからなる。しかし、この解決策も完全な満足を与えることはできていない。実際、引張り力がスライダに加わると、リブ２０４および２５４はリブ１２２および１３２上を摺動しがちであるという結果になり、これはこの２つの閉鎖要素をいっしょに引っ張って、ロックおよび保持という当初の目的とは反対に、それらをリブ１２２および１３２の間の自由通路の方向に案内してしまう傾向がある。
【０００８】
別の解決策が仏国特許公開第２,８５５,１５３号に提案された。この解決策は図７に示されている。それは、引張り力の作用によりスライダ１００が引き抜かれるのを防止するために、ソールプレート２４２のエンドストップを構成する、袋の内部に向かって凹んだ構造２１０、２６０を閉鎖要素の少なくとも一方に設けることからなる。
【特許文献１】米国特許第５,６６４,２９９号
【特許文献２】仏国特許公開第２,８５５,１５３号
【発明の開示】
【０００９】
本発明はスライダの引抜き離脱（引張りによる抜け落ち）の危険性を制限することにより公知器具を改善することを目的とする。
この目的は、本発明により、続けて連結および分離されるのに適した２つの相補的要素と、ベース部、２つの側方チーク部、低い中央リッジ部およびこの低い中央リッジ部につながるソールプレートを備えるスライダ、とを備える閉鎖アセンブリであって、２つの要素の少なくとも一方がその内面に、引張り力の作用下でソールプレートに押し付けられることができる構造物を有し、この力の作用下で該要素がそれに対向するスライダ側方チーク部に平らに突き当たる傾向を有するようになることを特徴とする、閉鎖アセンブリにより達成される。
【００１０】
以下に説明するように、米国特許第５,６６４,２９９号とは異なり、本発明に置いて提案された構造物は、引張り力が加わった時に、スライダの側方チーク部と閉鎖アセンブリとの間の接触を強化し、従って摩擦を増大させることになる。
【００１１】
本発明はまた、かかる閉鎖アセンブリを備えた袋にも関する。
本発明の他の特徴、目的および利点は、非制限的な例示として示す、添付図面を参照した以下の説明を読むと明らかとなろう。
【発明を実施するための最良の形態】
【００１２】
本発明はあらゆる種類の袋に応用することができる。このため、以下では、袋それ自体の創出のための手段や、その構成部材もしくはその材料については詳しくは説明しない。
このことはジッパー要素２００、２５０にもあてはまる。ジッパー要素は添付図面に示した形状に制限されるものではない。これらのジッパー要素は、相補的な雄／雌型のものでも、相補的なフック型のものでも、相補的なベルクロ（マジックテープ（登録商標））型のものでも、または任意の他の等価の構造物でもよい。それらは任意の適当な材料から作製することができる。閉鎖ジッパー要素２００、２５０は、例えば押出により形成された袋のリッジ部と共に同じ材料から型成形されたものでもよく、あるいは任意の適当な手段で袋のリッジ部に集成・固定されたものでもよい。
【００１３】
同様に、スライダ１００の全体的な構造ならびにその構成部材、材料についても以下では詳しく説明しない。本発明の必須の特徴について集中して説明する。
スライダ１００は金属またはプラスチック材料から作製することができる。これは、ベース部１１０、２つの側方チーク部１２０、１３０、およびソールプレート１４２を保持する低い中央リッジ部１４０を備える。側方チーク部１２０、１３０と低い中央リッジ部１４０とが組み合わさって、少なくとも部分的には平行でない、２つのチャネル１５０、１６０を形成する。
【００１４】
既に述べたように、本発明によれば、閉鎖アセンブリの２つの相補的要素２００、２５０の少なくとも一方は、引張り力がスライダ１００に加わった時にソールプレート１４２に押し付けられるように意図された構造物３００を有する。図８および９に示した例では、要素２５０だけがそのような構造部３００を備えている。
【００１５】
好ましくは、本発明によると、この構造物３００は、閉鎖要素２５０を保持するバッキング条片２５４の内面２５２に取り付けられている、ソールプレート１４２に隣接したリブから形成される。
【００１６】
構造物３００は、これがソールプレート１４２上に押し付けられている時に、それが要素２５０を、それに対向するスライダ側方チーク部１３０に当たって平らになる傾向を持つように設計されている。これは図８と図９との比較を検討することにより見ることができる。
【００１７】
こうして、この閉鎖要素２５０とスライダ１００との間には大きな摩擦が発生する。
従って、当業者であれば、スライダを引き抜こうと試みた時に、発生した摩擦によりスライダの抜け落ちが阻止されることを理解しよう。
【００１８】
より詳しくは、上記効果を達成するために、好ましくは下記の構成をとる：
−リブ３００がその自由端部の方向に少なくともわずかに先細になっている。
−止まった状態で、ソールプレート１４２の方に面するリブ３００の面３０２がソールプレート１４２の対向する面１４２０と平行であるか、さらにはその自由端部の方向に少なくともわずかに、この面１４２０に対して湾曲している。
【００１９】
−リブ３００の高さｈ１が、この高さｈ１にバッキング条片２５４の厚さｅ２を加算した値が、ソールプレート１４２の縁部と側方チーク部１３０とを隔てる離間距離ｉ３より大きくなるような高さである。それにより、リブ３００は、ソールプレート１４２に押し付けられ、こうして要素２５０が側方チーク部１３０に当たるように押し付けられることを経ずに、この通路を通過することができないようになっている。
【００２０】
もちろん、本発明は、上に述べた特定の実施方法に制限されるものではなく、本発明の技術思想の範囲内の任意の変更例に及ぶものである。
【図面の簡単な説明】
【００２１】
【図１】既存の設計に係る公知の閉鎖アセンブリの部分分解略式斜視図を示す。
【図２】同じ閉鎖アセンブリの断面図である。
【図３】既存の設計に係るスライダの部分分解斜視図を示す。
【図４】図３のＩＶ−ＩＶで示す面における上記スライダを備えた閉鎖アセンブリの断面図である。
【図５】図３のＶ−Ｖで示す面における上記スライダを備えた閉鎖アセンブリの断面図である。
【図６】米国特許第５,６６４,２９９号明細書に記載の閉鎖アセンブリを示す。
【図７】仏国特許公開第２,８５５,１５３号明細書に記載の閉鎖アセンブリを示す。
【図８】本発明に係るスライダおよび閉鎖ジッパー要素の断面図である。
【図９】上記と同じ手段の引張り力を受けた時の同様の断面図である。
【図１】
2006290464.tif 000003
【図２】
2006290464.tif 000004
【図３】
2006290464.tif 000005
【図４】
2006290464.tif 000006
【図５】
2006290464.tif 000007
【図６】
2006290464.tif 000008
【図７】
2006290464.tif 000009
【図８】
2006290464.tif 000010
【図９】
2006290464.tif 000011
【外国語明細書】
2006290464000001.pdf